【手続補正書】
【提出日】平成18年11月23日(2006.11.23)
【手続補正１】
【補正対象書類名】特許請求の範囲
【補正対象項目名】全文
【補正方法】変更
【補正の内容】
【特許請求の範囲】
【請求項１】
筒状に形成された筒体部を備え、該筒体部の外部及び内部に熱交換用のフィンが設けられ、該筒体部の内部と外部とを通過する気体の間で熱交換をすべく金属材で形成された熱交換器であって、
前記熱交換用のフィンが、金属板状体によって形成され、該金属板状体が前記筒体部に設けられたスリットに差し込まれて固定されることで所定の位置に配され、塗材が塗られることによって前記スリットと前記金属板状体との間が気密されていることを特徴とする熱交換器。
【請求項２】
前記塗材がカーボンナノチューブ等の結晶性カーボン材を含有し、前記金属材の表面の少なくとも一部に塗られていることを特徴とする請求項１記載の熱交換器。
【請求項３】
前記筒体部の外側における金属材の表面の少なくとも一部に、前記塗材が塗られていることを特徴とする請求項１又は２記載の熱交換器。
【請求項４】
前記熱交換用のフィンを構成する金属板状体に、前記スリット内へ所定の寸法以上に差し込まれることを防止して位置決めをする段部が設けられていることを特徴とする請求項１、２又は３記載の熱交換器。
【請求項５】
前記筒体部と、板状に形成され、フィン面を前記筒体部の軸線方向に傾斜させて、前記筒体部の軸線方向に複数段に設けられた前記熱交換用のフィンとを備え、
前記熱交換用のフィンが、端部を筒体部の外側に延出すると共に、筒体部の内側面との間に気体を通流させる隙間をあけて筒体部の内側を横切るように設けられ、
前記軸線方向に隣接する前記熱交換用のフィンが平面配置で互いに交差する配置に設けられていることを特徴とする請求項１、２、３又は４記載の熱交換器。
【請求項６】
送風手段と、該送風手段によって空気が送られる間に該空気を加熱する加熱部と、該加熱部によって加熱された排気側の空気の熱を吸収して吸気側の空気に熱を与える熱交換部とを備え、空気中の臭い成分の分解及び空気中の細菌やウィルスの除菌等を行う脱臭殺菌装置において、前記熱交換部に、前記請求項１、２、３、４又は５記載の熱交換器を用いたことを特徴とする脱臭殺菌装置。
【請求項７】
前記送風手段が、装置の吸気口に配された第１の送風ファンと、装置の排気口に配された第２の送風ファンによって構成され、
前記第１の送風ファンと前記第２の送風ファンは、ケーシング内に、前記第１の送風ファン側から前記第２の送風ファンへ向かって前記加熱部、触媒部、前記熱交換器の順に配された内部構成を挟んで直列に配置されていることを特徴とする請求項６記載の脱臭殺菌装置。
【請求項８】
第１の送風ファンから前記加熱部へ気体が直接的に流入しないように、第１の送風ファンの側に配される底部を有し、前記加熱部、前記触媒部及び前記熱交換器が内部に配される有底筒体を備えることを特徴とする請求項７記載の脱臭殺菌装置。
【手続補正２】
【補正対象書類名】明細書
【補正対象項目名】０００８
【補正方法】変更
【補正の内容】
【０００８】
本発明は、上記目的を達成するために次の構成を備える。
本発明にかかる熱交換器の一形態によれば、筒状に形成された筒体部を備え、該筒体部の外部及び内部に熱交換用のフィンが設けられ、該筒体部の内部と外部とを通過する気体の間で熱交換をすべく金属材で形成された熱交換器であって、前記熱交換用のフィンが、金属板状体によって形成され、該金属板状体が前記筒体部に設けられたスリットに差し込まれて固定されることで所定の位置に配され、塗材が塗られることによって前記スリットと前記金属板状体との間が気密されていることを特徴とする。
【手続補正３】
【補正対象書類名】明細書
【補正対象項目名】０００９
【補正方法】変更
【補正の内容】
【０００９】
また、本発明にかかる熱交換器の一形態によれば、前記塗材がカーボンナノチューブ等の結晶性カーボン材を含有し、前記金属材の表面の少なくとも一部に塗られていることを特徴とすることができる。
また、本発明にかかる熱交換器の一形態によれば、前記筒体部の外側における金属材の表面の少なくとも一部に、前記塗材が塗られていることを特徴とすることができる。
【手続補正４】
【補正対象書類名】明細書
【補正対象項目名】００１０
【補正方法】変更
【補正の内容】
【００１０】
また、本発明にかかる熱交換器の一形態によれば、前記熱交換用のフィンを構成する金属板状体に、前記スリット内へ所定の寸法以上に差し込まれることを防止して位置決めをする段部が設けられていることを特徴とすることができる。
【手続補正５】
【補正対象書類名】明細書
【補正対象項目名】００１１
【補正方法】変更
【補正の内容】
【００１１】
また、本発明にかかる熱交換器の一形態によれば、前記筒体部と、板状に形成され、フィン面を前記筒体部の軸線方向に傾斜させて、前記筒体部の軸線方向に複数段に設けられた前記熱交換用のフィンとを備え、前記熱交換用のフィンが、端部を筒体部の外側に延出すると共に、筒体部の内側面との間に気体を通流させる隙間をあけて筒体部の内側を横切るように設けられ、前記軸線方向に隣接する前記熱交換用のフィンが平面配置で互いに交差する配置に設けられていることを特徴とすることができる。
【手続補正６】
【補正対象書類名】明細書
【補正対象項目名】００１２
【補正方法】変更
【補正の内容】
【００１２】
また、本発明にかかる脱臭殺菌装置の一形態によれば、送風手段と、該送風手段によって空気が送られる間に該空気を加熱する加熱部と、該加熱部によって加熱された排気側の空気の熱を吸収して吸気側の空気に熱を与える熱交換部とを備え、空気中の臭い成分の分解及び空気中の細菌やウィルスの除菌等を行う脱臭殺菌装置において、前記熱交換部に、前記の熱交換器を用いたことを特徴とする。
【手続補正７】
【補正対象書類名】明細書
【補正対象項目名】００１３
【補正方法】変更
【補正の内容】
【００１３】
また、本発明にかかる脱臭殺菌装置の一形態によれば、前記送風手段が、装置の吸気口に配された第１の送風ファンと、装置の排気口に配された第２の送風ファンによって構成され、前記第１の送風ファンと前記第２の送風ファンは、ケーシング内に、前記第１の送風ファン側から前記第２の送風ファンへ向かって前記加熱部、触媒部、前記熱交換器の順に配された内部構成を挟んで直列に配置されていることを特徴とすることができる。
【手続補正８】
【補正対象書類名】明細書
【補正対象項目名】００１４
【補正方法】変更
【補正の内容】
【００１４】
また、本発明にかかる脱臭殺菌装置の一形態によれば、第１の送風ファンから前記加熱部へ気体が直接的に流入しないように、第１の送風ファンの側に配される底部を有し、前記加熱部、前記触媒部及び前記熱交換器が内部に配される有底筒体を備えることを特徴とすることができる。
【手続補正９】
【補正対象書類名】明細書
【補正対象項目名】００１５
【補正方法】変更
【補正の内容】
【００１５】
本発明の熱交換器によれば、筒体部のスリットに金属板状体が差し込まれて熱交換用のフィンが設けられる。そのスリットと金属板状体との間に塗材が塗られることによって、筒体部の内部と外部との間における気体のリークが防止される。これにより、熱交換効率を向上できる。
これにより、空気（気体）等の流体に係る熱交換器を小型化すること、或いは所定の大きさの熱交換器においてより大きな熱量の熱交換を行うことができる。
【手続補正１０】
【補正対象書類名】明細書
【補正対象項目名】００１６
【補正方法】変更
【補正の内容】
【００１６】
また、本発明にかかる脱臭殺菌装置によれば、熱交換性能の高い前記熱交換器を好適に利用することができる。
これにより、熱交換器を小型化することができ、結果的に脱臭殺菌装置の小型化を図ることができる。このため、自動車の室内用（車載用）として好適に設置できる小型で処理能力の大きな脱臭殺菌装置を提供することができる。